(57)【特許請求の範囲】
【請求項１】
電子機器を冷却するためのファンの駆動を制御する制御装置であって、
前記電子機器の温度を検出する温度検出手段と、
前記検出された温度に基づいて前記ファンの駆動を調節する駆動調節手段と、
前記駆動調節手段に調節された電圧を前記ファンに印加して駆動させる駆動手段と、を備え、
前記駆動調節手段は、
前記検出された温度が設定値に達したときは、一定の期間、前記ファンの始動に必要な第１電圧に基づいて前記駆動手段に前記ファンを始動させ、前記一定の期間が経過した後は、前記検出された温度に応じて、前記第１電圧より低い電圧から段階的に増加する第２電圧に基づいて前記駆動手段に前記ファンを駆動させる、
ファン制御装置。
【請求項２】
前記第１電圧は、前記ファンの定格電圧である、請求項１に記載のファン制御装置。
【請求項３】
前記設定値は、前記ファンを停止させるときの温度より高い値とする、請求項１または２に記載のファン制御装置。
【請求項４】
電子機器を冷却するためのファンの駆動を制御する方法であって、
前記電子機器の温度を検出する段階と、
前記検出された温度に基づいて前記ファンの駆動を調節する段階と、
前記調節された電圧を前記ファンに印加して駆動させる段階と、を含み、
前記ファンの駆動を調節する段階では、
前記検出された温度が設定値に達したときは、一定の期間、前記ファンの始動に必要な第１電圧に基づいて前記ファンを始動させ、前記一定の期間が経過した後は、前記検出された温度に応じて、前記第１電圧より低い電圧から段階的に増加する第２電圧に基づいて前記ファンを駆動させる、
ファン制御方法。
【発明の詳細な説明】
【０００１】
【発明の属する技術分野】
本発明は、ファン制御装置及びファン制御方法、特に、電子機器を冷却するためのファンを制御するファン制御装置及びファン制御方法に関する。
【０００２】
【従来の技術】
電子機器には、抵抗器、コイル、コンデンサ、トランジスタ等の電子素子が搭載されている。電子機器を高電力で長時間使用する場合には、これらの電子素子が電力損失により発生する熱により破壊されるおそれがある。発熱による破壊を防止するためには、大きな電力損失を許容する最大定格温度の高い電子機器を用いる必要がある。しかし、このような電子素子は大型かつ重量が大きいため、これらの素子が多数搭載される電子機器の小型化及び軽量化の妨げとなる。
【０００３】
電子機器の小型化及び軽量化を図るためには、電子素子を何らかの方法により強制冷却し、最大定格温度の低い電子素子を使用する必要がある。このため、例えば、電子素子をヒートシンク（放熱板）に固定して電子素子から放熱板に熱を放出させたり、ファンを駆動して空気流を発生させてこれらの電子素子を冷却することが行われている。電子素子をファンにより強制冷却する場合、ファンの騒音や寿命が問題となる。
【０００４】
従来、電子素子又は放熱板の温度を検出し、検出された温度に基づいてファンの回転数を低く抑えたり間欠運転させることにより、ファンの騒音を低減したり、ファンの長寿命化を図っている。
【０００５】
図８には、従来行っているファン１の駆動制御のブロック図を示す。図９は、この制御における放熱板の温度とファン１の駆動電圧との関係を示している。温度検出手段２により放熱板の温度を検出し、検出された温度（検出温度）がＴ１になったときに比較回路４がスイッチ５を短絡させ、駆動回路３から駆動電圧Ｖｓをファン１に出力する。また、検出温度がＴ２になるまでは、検出温度に比例する駆動電圧を駆動回路３からファン１に出力し、検出温度がＴ２になると最大の駆動電圧ＶＲを駆動回路３からファン１に出力する。つまり、検出温度がＴ１未満ではファンを停止させておき、検出温度がＴｈｒ１からＴｈｒ２の間では検出温度に比例する駆動電圧でファンを駆動し、検出値がＴｈｒ２になってからはファン１を最大回転数で駆動する。このように、ファンを停止させたり、ファンの回転数を低く抑えることにより、長寿命化及び静寂性を確保している。このような制御は、特に、発熱量が時間的に変化する音響用パワーアンプ、コピー機、ＦＡＸ等におけるファン１による冷却に有効である。
【０００６】
【発明が解決しようとする課題】
上記のようにファンを制御するためには、ファンの駆動電圧を広い範囲で変化させる必要があり、駆動を開始する電圧Ｖｓをファンの定格電圧の半分程度に設定することが好ましい。しかし、ファンを停止状態から始動させるには大きなトルクが必要であり、汎用のファンでは、定格電圧の±２０％程度の電圧範囲でしか始動を保証されておらず、上記の制御に用いることは難しい。そこで、確実な動作を保証するために、定格電圧の半分程度でも始動することができる特殊なファンを使用して、上記の制御を行わざるを得ない。このような特殊なファンは高価であり、電子機器全体のコストダウンの妨げとなっている。
【０００７】
本発明の目的は、電子機器を冷却するためのファン制御装置において、長寿命化及び静寂性を図る制御を低コストで行うことにある。
【０００８】
【課題を解決するための手段】
発明１に係るファン制御装置は、電子機器を冷却するためのファンを制御するための制御装置であって、温度検出手段と、駆動手段と、駆動制御手段とを備えている。
【０００９】
温度検出手段は、抵抗器、コイル、コンデンサ、トランジスタ、パワーアンプ等の電子機器の温度を検出する手段である。温度検出手段は、電子機器の温度を電圧として検出する温度検出素子と温度検出素子の出力する電圧を増幅する増幅回路等から構成されている。電子機器の温度は、電子機器に搭載されている電子素子の温度を検出しても良いし、電子素子を固定している放熱板の温度を測定して間接的に電子電子の温度を検出しても良い。温度検出素子は、例えば、温度の変化によりベース−エミッタ間の電圧が変化するトランジスタを用いることができる。増幅回路は、トランジスタのベース−エミッタ間の電圧を一定倍する演算増幅回路を用いることができる。
【００１０】
駆動手段は、ファンに電圧を印加して駆動させる手段である。例えば、ＤＣファンに直流電圧を供給するＤＣ−ＤＣコンバータ等のＤＣ電源である。
駆動調節手段は、検出された温度が設定値に達したときは、一定の期間、ファンの始動に必要な第１電圧に基づいて駆動手段にファンを始動させ、一定の期間が経過した後は、検出された温度に応じて、第１電圧より低い電圧から段階的に増加する第２電圧に基づいて駆動手段にファンを駆動させる。第１電圧は、ファンの始動に必要な電圧であり、始動電圧範囲の最大値付近の電圧にすることができる。一方、第２電圧は、検出温度の変化に従って、ファンの定格電圧の半分から第１電圧までの広い範囲で変化する電圧とすることができる。駆動調節手段は、後述するようにアナログ回路により構成することもできるし、マイクロコンピュータを用いたディジタル回路によっても構成することができる。
【００１１】
発明１に係るファン制御装置によれば、高いトルクを必要とする始動時に高い電圧を供給して確実にファンを始動し、その後は、定格電圧の半分程度の電圧から検出温度の変化に従って変化する電圧でファンを駆動することにより、汎用のファンを用いて、ファンの静寂性及び長寿命化を図る制御を実現することができる。
【００１２】
発明２に係るファン制御装置では、発明１に係るファン制御装置において、第１電圧はファンの定格電圧としてもよい。
【００１３】
発明３に係るファン制御装置では、発明１または２に係るファン制御装置において、設定値は、ファンを停止させるときの温度より高い値としてもよい。
【００１８】
発明４に係るファン制御方法は、電子機器を冷却するためのファンの駆動を制御する方法であって、電子機器の温度を検出する段階と、検出された温度に基づいてファンの駆動を調節する段階と、調節された電圧をファンに印加して駆動させる段階と、含み、ファンの駆動を調節する段階では、検出された温度が設定値に達したときは、一定の期間、ファンの始動に必要な第１電圧に基づいてファンを始動させ、一定の期間が経過した後は、検出された温度に応じて、第１電圧より低い電圧から段階的に増加する第２電圧に基づいてファンを駆動させるものである。
【００１９】
【発明の実施の形態】
〔制御原理〕
図１は、本意実施形態に係る電子機器を冷却するためのファン１の制御装置１０の機能構成を示すブロック図である。この制御装置１０は、温度検出手段２と設定電圧発生手段６と駆動手段７と計測及び切替手段８とを備えている。温度検出手段２は、抵抗器、コイル、コンデンサ、トランジスタ、パワーアンプ等の電子素子の温度を直接又は間接的に検出し、温度に対応する電圧を出力する。本実施形態では、温度検出手段２は、電子素子が固定されている放熱板の温度Ｔｈｒを検出する。設定電圧発生手段６は、駆動手段７から出力する駆動電圧Ｖｄを設定する。駆動手段７は、ファン１に駆動電圧Ｖｄを供給する。具体的には、ファン１の駆動に十分な第１電圧Ｖ１と、検出された温度Ｔｈｒに従って最小電圧Ｖｓから第１電圧Ｖ１の間で変化する第２電圧Ｖ２とをファン１に供給する（図２及び図３参照）。計測及び切替手段８は、検出温度Ｔｈｒが設定値Ｔｈｒ１に到達すると、時間ｔａの間は、駆動手段７から第１電圧Ｖ１を出力するように、時間ｔａ経過後は、駆動手段７から第２設定電圧Ｖ２を出力するように、設定電圧発生手段６を制御する。
【００２０】
図２は、放熱板の温度Ｔｈｒと駆動電圧Ｖｄとの関係を示す図である。図３は、ファン１に印加される駆動電圧Ｖｄの時間変化を表す図である。図２において、温度Ｔｈｒ１はファン１の回転を開始させるべき設定温度であり、温度Ｔｈｒ２はファン１の回転数を最大にするべき設定温度である。電圧Ｖｓは、ファン１に印加する最小の駆動電圧Ｖｄであり、ファン１の定格電圧の半分程度の電圧である。電圧Ｖ１は、ファン１に印加する最大の駆動電圧Ｖｄであり、ファン１の始動電圧範囲の最大値に近い電圧である。図３において、時刻ｔ１は放熱板の温度Ｔｈｒが設定値Ｔｈｒ１に到達する時刻ｔであり、ｔａは駆動電圧ＶｄをＶ１に保つ時間である。
【００２１】
本実施形態の制御を、図２及び図３に示すように、放熱板の温度Ｔｈｒに基づいてI〜IVの段階に分けて説明する。即ち、放熱板の温度ＴｈｒがＴｈｒ１より低い段階Iでは、駆動手段７からの駆動電圧Ｖｄを０としてファン１を停止させておく。放熱板の温度ＴｈｒがＴｈｒ１に到達した段階IIでは、時間ｔａの間は、駆動電圧Ｖｄを最大値Ｖ１としてファン１の駆動を開始させる。放熱板の温度ＴｈｒがＴｈｒ１に到達してから所定期間ｔａ経過後の段階IIIでは、放熱板の温度Ｔｈｒに応じてファン１に駆動電圧Ｖｄを印加する。即ち、放熱板の温度ＴｈｒがＴｈｒ１以上Ｔｈｒ２未満である段階IIIでは、最小電圧Ｖｓから最大電圧Ｖ１の範囲で、放熱板の温度Ｔｈｒに比例する駆動電圧Ｖ２をファン１に印加する。放熱板の温度がＴｈｒ２以上である段階IVでは、駆動電圧Ｖｄ＝Ｖ１としてファン１を駆動する。ファン１の始動時に最大の駆動電圧Ｖ１を時間ｔａの間印加し続けるのは、十分なトルクを与えてファン１を確実に始動するためである。また、時間ｔａ経過後には駆動電圧ＶｄをＶ１からＶｓに下げるのは、ファン１の回転数を抑えて騒音を低減し、寿命を増大させるためである。
【００２２】
なお、始動時にファン１に印加する駆動電圧Ｖｄを最大値Ｖ１に設定したが、始動時にファン１に印加する駆動電圧Ｖｄは、ファン１を駆動するのに十分な電圧であれば最大値Ｖ１に限られない。
【００２３】
〔回路構成例〕
図４には、本実施形態に係るファン制御装置１０の回路構成例を示す。
温度検出手段２は、トランジスタＴｒ４と演算増幅器Ｏｐ３とを備えている。トランジスタＴｒ４は、電子素子が取り付けられる放熱板の温度Ｔｈｒを測定するための温度検出素子であり、放熱板の温度Ｔｈｒが変化するとベースエミッタ間電圧を一定の割合で変化させる。トランジスタＴｒ４のコレクタ及びベース間は短絡されており、コレクタは抵抗器Ｒ１７を介して直流電源ラインＶＤＣに接続されている。トランジスタＴｒ４のコレクタは、抵抗器Ｒ１３を介して演算増幅器Ｏｐ３の逆相入力端子に接続されており、演算増幅器Ｏｐ３の逆相入力端子は抵抗器Ｒ１２を介して出力端子及びツェナーダイオードＤ１のカソードに接続されている。トランジスタＴｒ４のエミッタは、抵抗器Ｒ１４及びＲ１５を介して直流電源ラインＶＤＣに接続されるとともに、抵抗器Ｒ１６を介してグランドラインに接地されている。抵抗器Ｒ１５は、可変抵抗器であり、中間端子が演算増幅器Ｏｐ３の正相入力端子に接続されている。即ち、トランジスタＴｒ４のコレクタ及びエミッタ間の電位差は、抵抗器Ｒ１３を介して演算増幅器Ｏｐ３に入力され、Ｒ１２／Ｒ１３倍されて電圧ＶｋをツェナーダイオードＤ１のカソードに出力する。このとき、ツェナーダイオードＤ１のアノードには、ＶｋからツェナーダイオードＤ１の逆方向飽和電圧Ｖｚだけ降下した電圧Ｖａが現れる。
【００２４】
駆動手段７は、演算増幅器Ｏｐ１とトランジスタＴｒ２とを備えており、演算増幅器Ｏｐ１の出力に従って、トランジスタＴｒ２からファン１に電圧を供給する。ファン１の高電位側には、トランジスタＴｒ２のエミッタが接続されており、トランジスタＴｒ２のコレクタは直流電源ラインＶＤＣに接続されている。またトランジスタＴｒ２のベースには、演算増幅器Ｏｐ１の出力端子が抵抗器Ｒ３を介して接続されている。演算増幅器Ｏｐ１の逆相入力端子は、抵抗器Ｒ４を介してトランジスタＴｒ２のエミッタに接続されており、ファン１の高電位側の電圧Ｖｄが抵抗器Ｒ４及びＲ５によって分圧されて逆相入力端子にフィードバックされる。なお、ファン１を直接演算増幅器Ｏｐ１により駆動できる場合には、トランジスタＴｒ２を必ずしも設ける必要はない。
【００２５】
駆動電圧設定手段６はツェナーダイオードＤ１により構成されている。ツェナーダイオードＤ１のアノードは、抵抗器Ｒ９を介して演算増幅器Ｏｐ１の正相入力端子に接続されている。ツェナーダイオードＤ１のカソードは、フォトカプラＰＨのトランジスタＴｒ１及び抵抗器Ｒ９を介して、抵抗器Ｒ９を介して演算増幅器Ｏｐ１の正相入力端子に接続されている。
【００２６】
計測及び切替手段８は、フォトカプラＰＨと抵抗器Ｒ１とコンデンサＣ１とを備えている。抵抗器Ｒ１、フォトカプラＰＨ及びコンデンサＣ１は、トランジスタＴｒ２に直列に接続されている。抵抗器Ｒ１及びコンデンサＣ１は、抵抗値Ｒ１及び容量Ｃ１で決まる時定数ｔａでコンデンサＣ１を充電することにより、時定数ｔａの間はフォトカプラＰＨのダイオードＤ２に電流を流し、その後はダイオードＤ２への電流を遮断する。ダイオードＤ２に電流が流れると、ダイオードＤ２が発光し、その光をトランジスタＴｒ１のベースが受光して、トランジスタＴｒ１のコレクタ及びエミッタ間を導通させる。フォトカプラＰＨのトランジスタＴｒ１は、ツェナーダイオードＤ１に並列に接続されており、ダイオードＤ２に電流が流れるとツェナーダイオードＤ１のアノード及びカソード間を短絡し、ダイオードＤ２に電流が流れない場合にはツェナーダイオードＤ１のアノードカソード間を遮断する。
【００２７】
またファン１の低電位側には、トランジスタＴｒ３のコレクタが接続されており、トランジスタＴｒ３のエミッタはグランドラインに接地されている。またトランジスタＴｒ３のベースには、抵抗器Ｒ６を介して演算増幅器Ｏｐ２の出力端子が接続されている。演算増幅器Ｏｐ２の逆相入力端子には、ツェナーダイオードＤ４のカソードが接続されており、ツェナーダイオードＤ４のカソードはさらに抵抗器Ｒ１０を介して直流電源ラインＶＤＣに接続されている。ツェナーダイオードＤ４のアノードはグランドラインに接地されている。抵抗器Ｒ１０はツェナーダイオードＤ４に流れる逆方向電流を制限するための抵抗器であり、演算増幅器Ｏｐ２の逆相入力端子は、ツェナーダイオードＤ４のカソード電圧に固定される。また演算増幅器Ｏｐ２の正相入力端子には、抵抗器Ｒ８を介してツェナーダイオードＤ１のアノードと接続されるとともに、抵抗器Ｒ８及びフォトカプラＰＨのトランジスタＴｒ１を介してツェナーダイオードＤ１のカソードに接続されている。即ち、演算増幅器Ｏｐ２の正相入力端子には、抵抗器Ｒ８を介してアノード電圧Ｖａ又はカソード電圧Ｖｋが入力される。また、コンデンサＣ１の高電位側にはダイオードＤ３及び抵抗器Ｒ２が接続されている。
【００２８】
〔回路動作〕
以下、図４の回路の動作について説明する。トランジスタＴｒ４が放熱板の温度Ｔｈｒを検出し、その温度Ｔｈｒに対応した電圧ＶｋがツェナーダイオードＤ１のカソードに出力される。このとき、ツェナーダイオードＤ１のアノードには、電圧Ｖｋから逆方向飽和電圧Ｖｚだけ降下した電圧Ｖａ（＝Ｖｋ−Ｖｚ）が現れ、電圧Ｖａが、抵抗器Ｒ８を介して演算増幅器Ｏｐ２の正相入力端子に入力されると共に、抵抗器Ｒ９を介して演算増幅器Ｏｐ１の正相入力端子に入力される。
【００２９】
〔段階I〕
放熱板の温度ＴｈｒがＴｈｒ１未満である場合は、演算増幅器Ｏｐ２の出力電圧はゼロ又はローであり、トランジスタＴｒ３は遮断状態にある。演算増幅器Ｏｐ１は、電圧Ｖａが抵抗器Ｒ９を介して入力される正相入力端子の電圧の大きさに応じてトランジスタＴｒ２のベースに正の電圧を印加する。しかしこのとき、トランジスタＴｒ３は遮断状態にあり、トランジスタＴｒ２を介してファン１には電流が流れず、ファン１に駆動電圧が印加されない。
【００３０】
〔段階II〕
放熱板の温度がＴｈｒ１に到達すると、演算増幅器Ｏｐ２の出力電圧は１又はハイとなり、トランジスタＴｒ３が導通する。このとき、演算増幅器Ｏｐ１からは電圧Ｖａに応じた電圧が出力され、直流電源ラインＶＤＣからトランジスタＴｒ２、ダイオードＤ２、コンデンサＣ１及びトランジスタＴｒ３を介して電流が流れると共に、直流電源ラインＶＤＣからトランジスタＴｒ２、ファン１及びトランジスタＴｒ３を介して電流が流れる。ダイオードＤ２に電流が流れると、トランジスタＴｒ１が導通し、電圧ＶｋがトランジスタＴｒ１及び抵抗器Ｒ９を介して演算増幅器Ｏｐ１の正相入力端子に入力される。演算増幅器Ｏｐ１の正相入力端子には、逆方向飽和電圧Ｖｚにより降下される前の電圧Ｖｋが印加されるので、演算増幅器Ｏｐ１の出力及びＴｒ２のエミッタ電位が急激に増加する。この結果、図２及び図３に示すように、ファン１には最大の駆動電圧Ｖ１が印加される。
【００３１】
なお、本実施形態では、段階IIでのファン１に印加する駆動電圧Ｖｄを最大値Ｖ１に設定したが、時間ｔａでのファン１に印加する駆動電圧Ｖｄは、ファン１を駆動するのに十分な電圧であれば最大値Ｖ１に限られない。
【００３２】
〔段階III〕
その後、時定数ｔａでコンデンサＣ１が充電されると、ダイオードＤ２に電流が流れなくなり、トランジスタＴｒ１が遮断される。トランジスタＴｒ１が遮断されると、再び、演算増幅器Ｏｐ１の正相入力端子に電圧Ｖａ（Ｖｋ−Ｖｚ）が抵抗器Ｒ９を介して入力されるようになり、トランジスタＴｒ２のベース電流が減少し、トランジスタＴｒ２のコレクタエミッタ間の電流が制限される。この結果、時定数ｔａ経過後は、図２及び図３に示すように、ファン１に印加される駆動電圧ＶｄがＶｓに降下する。そして、放熱板の温度ＴｈｒがＴｈｒ１以上Ｔｈｒ２未満の間は、放熱板の温度Ｔｈｒに比例した駆動電圧Ｖ２をファン１に印加して回転させる。
【００３３】
〔段階IV〕
さらに、放熱板の温度ＴｈｒがＴｈｒ２に到達したときは、温度Ｔｈｒによらず最大の駆動電圧Ｖ１をファン１に印加し、最大の回転数で駆動する。
【００３４】
以上のように、ファン１の始動時に高い駆動電圧Ｖ１を印加することによりファンを確実に始動させ、その後は、放熱板の温度Ｔｈｒに応じた駆動電圧Ｖ２でファン１を回転させることにより、ファン１の騒音を防止する。
【００３５】
〔実験例〕
上記の回路構成例による実験回路例を図５に示す。この実験例では、定格電圧２４（Ｖ）のＤＣファンを使用する。このファン１の始動電圧範囲は、定格電圧２４（Ｖ）の±２０％であり、約１９（Ｖ）〜２９（Ｖ）である。ここで図４では、ツェナーダイオードＤ１のアノード電圧Ｖａを抵抗器Ｒ８を介して演算増幅器Ｏｐ２の逆相入力端子に入力していたが、図５では、演算増幅器Ｏｐ１の出力電圧を抵抗器（６．８ｋΩ）を介して演算増幅器Ｏｐ２の逆相入力端子に入力している。この場合も、演算増幅器Ｏｐ２の逆相入力電圧を適切に設定することにより、放熱板の温度ＴｈｒがＴｈｒ１に到達したことを検出することができる。
【００３６】
図５の実験回路によるファン１の駆動の様子を図６及び図７に示す。この実験回路では、図６に示すように、ファン１の駆動を開始する放熱板の温度Ｔｈｒ１を５０℃に設定している。放熱板の温度Ｔｈｒが５０℃に到達すると、図６及び図７に示すように、ファン１に駆動電圧Ｖｄ＝２６．２（Ｖ）がｔａ＝４５４ｍｓの間だけ印加され（段階II）、その後、駆動電圧Ｖｄを１２．５（Ｖ）に降下される（段階III）。放熱板の温度Ｔｈｒが５０℃を越えて上昇すると、図６に示すように、放熱板の温度Ｔｈｒに比例する駆動電圧Ｖ２をファン１に印加する。図６の例では、放熱板の温度Ｔｈｒは、８３．５℃まで上昇し、その後放熱板の温度Ｔｈｒは下降して５０℃よりも下がり４６℃に到達すると、ファン１は停止される。このようにファン１を停止する温度（４６℃）を始動する温度（５０℃）よりも低くしているのは、放熱板の温度Ｔｈｒを十分に下げておいてファン１が再び始動するまでの時間を長くとるためである。これにより、短い時間間隔でファン１が始動停止を繰り返すのを防止し、騒音を低減することができる。ファン１が始動及び停止する温度に差を持たせるには、演算増幅器Ｏｐ２のコンパレータ動作にヒステリシスを持たせれば良い。
【００３７】
本実施形態に係るファン１の制御装置１０によれば、ファンの始動時の所定期間ｔａの間のみ高い電圧Ｖ１を供給してファン１を確実に始動し、その後は定格電圧２４（Ｖ）の半分程度の駆動電圧Ｖｄ＝１２（Ｖ）から変化する電圧Ｖ２を印加してファン１を回転させるので、始動電圧範囲の狭い汎用のファン１を使用して、ファン１の騒音を防止し、長寿命化を図る制御を実現することができる。即ち、ファン１の静寂性及び長寿命化を図る制御を低コストで行うことができるようになる。
【００３８】
また本実施形態に係るファン１の制御装置１０では、抵抗器Ｒ１及びコンデンサ１により時間ｔａを計測し、その期間ｔａの間のみフォトカプラＰＨを導通させて高い電圧Ｖｋを演算増幅回路Ｏｐ１に入力させ、その後、フォトカプラＰＨを遮断して低い電圧Ｖａを演算増幅回路Ｏｐ１に入力させる。即ち、簡単な回路構成により、汎用のファン１を静寂性及び長寿命化を図る制御に用いることができるようになった。
【００３９】
【発明の効果】
本発明によれば、ファンの静寂性及び長寿命化を図る制御を低コストで行うことができる。
【図面の簡単な説明】
【図１】本発明の一実施形態に係る冷却ファンの制御を示すブロック図。
【図２】本実施形態における、放熱板の温度とファン駆動電圧との関係を示す図。
【図３】本実施形態における、ファン駆動電圧の時間的な変化を示す図。
【図４】本発明の一実施形態に係るファン制御装置の回路図。
【図５】本発明の一実施形態に係るファン制御装置の実験回路例。
【図６】上記実験回路例による放熱板の温度とファン駆動電圧との関係の測定結果。
【図７】上記実験回路例によるファン駆動電圧の時間的な変化を示す図。
【図８】冷却ファンの制御の一例を示すブロック図。
【図９】上記制御における放熱板の温度とファン駆動電圧との関係を示す図。
【符号の説明】
１  ファン
２  温度検出手段
６  設定電圧発生手段
７  駆動手段
８  計測及び切替手段
【図１】
0004375920.tif 000002
【図２】
0004375920.tif 000003
【図３】
0004375920.tif 000004
【図４】
0004375920.tif 000005
【図５】
0004375920.tif 000006
【図６】
0004375920.tif 000007
【図７】
0004375920.tif 000008
【図８】
0004375920.tif 000009
【図９】
0004375920.tif 000010